(57)【特許請求の範囲】
【請求項１】
風力発電設備の塔の建設方法であって、
基礎（１００）を設けるステップと、
複数の高さ調整ユニット（５００）を前記基礎（１００）の上に設置するステップと、
荷重分配リング（２００）を前記複数の高さ調整ユニット（５００）の上に設置するステップと、
前記高さ調整ユニット（５００）を調整することによって、前記荷重分配リング（２００）をレベル位置決めすると共に水平化するステップと、
前記基礎（１００）と前記荷重分配リング（２００）との間の間隙にグラウト材（３００）を充填するステップと、
前記グラウト材が所定強度に達した後、塔の塔セグメント（４００）を前記荷重分配リング（２００）の上に設置するステップと、
を含む建設方法において、
前記複数の高さ調整ユニット（５００）は、それらが共同で、前記荷重分配リング（２００）の重量を担持することが可能であるような寸法に定められ、
前記複数の高さ調整ユニットのそれぞれは、所定の限界値を超過する大きな力が前記複数の高さ調整ユニットのうちの１つに作用すると降伏するように構成されており、
前記所定の限界値は、前記高さ調整ユニットを通じて前記基礎上に作用して、前記基礎を損傷する面圧であり、
前記高さ調整ユニット（５００）は全体的にプラスチックから製造される、
ことを特徴とする方法。
【請求項２】
前記高さ調整ユニット（５００）が、高さ調整ねじの形態で用いられる、請求項１に記載の方法。
【請求項３】
前記高さ調整ユニット（６００、７００）が、第１および第２のくさび部分（６１０、６２０；７１０、７２０）を有し、それらの間隔を調整器（６５０、７５０）によって変化させることが可能であり、さらに、台形部分（６３０、６４０；７３０、７４０）が、その高さ調整ユニットの高さが変化するように前記第１および第２くさび部分と協動する、請求項１または２に記載の方法。
【請求項４】
基礎（１００）と、
前記基礎（１００）上の複数の高さ調整ユニット（５００）と、
前記複数の高さ調整ユニット（５００）の上に設置される荷重分配リング（２００）と、
前記基礎（１００）および前記荷重分配リング（２００）の間の間隙内のグラウト材（３００）と、
前記荷重分配リング（２００）上の少なくとも１つの塔セグメント（４００）と、
を備えた、風力発電装置の塔であって、
前記高さ調整ユニット（５００）は、それらが共同で、前記荷重分配リング（２００）の重量を担持することが可能であるような寸法に定められ、
前記複数の高さ調整ユニットのそれぞれは、所定の限界値を超過する大きな力が前記複数の高さ調整ユニットのうちの１つに作用すると降伏するように構成されており、
前記所定の限界値は、前記高さ調整ユニットを通じて前記基礎上に作用して、前記基礎を損傷する面圧であり、
前記高さ調整ユニット（５００）は全体的にプラスチックから製造される、
ことを特徴とする塔。
【請求項５】
前記高さ調整ユニット（５００）が、高さ調整ねじの形態であることを特徴とする請求項４に記載の塔。
【請求項６】
前記高さ調整ユニットが、第１および第２のくさび部分（６１０、６２０；７１０、７２０）と、この第１および第２のくさび部分（６１０、６２０；７１０、７２０）の間の間隔を調整する調整器（６５０、７５０）と、少なくとも１つの台形部分（６３０、６４０；７３０、７４０）と、を有し、前記高さ調整ユニットの高さが、前記第１および第２のくさび形状部分の間の間隔を変化させることによって調整可能である、請求項４または５に記載の塔。
【請求項７】
請求項４〜６のいずれか一項に記載の塔を備えた風力発電装置。
【請求項８】
請求項４に記載の風力発電装置の塔の荷重分配リング（２００）を担持する高さ調整ユニット（５００）であって、
前記高さ調整ユニット（５００）それぞれがプラスチック材料からなる、高さ調整ユニット（５００）。
【請求項９】
請求項８に記載の風力発電装置の塔の荷重分配リングを担持する高さ調整ユニット（５００）の使用であって、前記塔の少なくとも１つの塔セグメント（４００）が前記荷重分配リングの上に設置される、プラスチック製の高さ調整ユニット（５００）の使用。
【発明の詳細な説明】
【技術分野】
【０００１】
本発明は、塔（tower又はpylon）、特に風力発電装置の塔の建設方法と、塔と、そのような塔を備えた風力発電装置とに関する。
【背景技術】
【０００２】
塔用の基礎を構築する際には、基礎の表面、あるいは少なくとも塔が搭載される基礎の部分は、塔が正確に垂直に建つように、平面にかつ厳密に水平に形成されるように留意しなければならない。
【０００３】
国際公開第２００５／０９５７１７号は、塔の基礎上のリング形状の型枠を示している。この型枠には、低粘度のグラウト材（グラウトモルタル）が充填され、そのグラウト材が硬化した後、型枠を取り外し、その後、硬化したグラウト材の表面上に水平化リングもしくは荷重分配リングが設置される。続いて、この荷重分配リングの上に、塔の下部セグメントを、基礎内に定着されていると共に基礎から所定長さだけ突出したアンカーボルトを使って固定できる。グラウト材を低粘度とすることによって、グラウト材そのものが正確にレベル位置決め（straightening）され、あるいは水平化（levelling）されることが保証される。
【０００４】
国際公開第２００５／０９５７９２号は、基礎上への塔の建設方法を記述している。この方法における塔は、基礎内のセグメントアンカーに固定されるアンカーボルトを介在させて立設される。アンカーボルトは、基礎の表面上に所定長さだけ突き出ている。まず最初に、水平化リングもしくは荷重分配リングを、基礎の上面において、水平化し、レベル位置決めして固定する。この先行技術においては、この水平化は、例えば、基礎の所定位置に例えば高さ調整ねじのような高さ調整ユニットをセットして、その上にまず荷重分配リングを載せ、高さ調整ユニットを調整して荷重分配リングを水平化することによって行われる。引き続いて、基礎と荷重分配リングとの間の間隙が充填され、荷重分配リングが平面的に裏打ちされる。これは、例えばグラウトモルタルのような適切な充填材料によって行われる。
【０００５】
高さ調整ねじは、内ネジを有する外側要素と、外ネジを有する内側要素とから構成される。内側要素は、この外ネジによって外側要素の内ネジの中に収納され、ネジを左右に廻すことによって、外側要素に対して高さ調整可能になる。高さ調整ねじの適切な配置および調整によって、荷重分配リングを水平化できる。良好な耐候性と安全確実な負荷の受け渡しを実現するために、この高さ調整ねじはステンレス鋼から製造される。ネジを細目ネジとして典型的に形成することによって、非常に微妙な高さ調整が可能になる。
【０００６】
このように形成された高さ調整ねじは、確かに比較的高価であるが、高い負荷を確実に受け渡すことができる。それ故、荷重分配リングの水平化には、荷重分配リングの平均半径上に（等間隔に）配置される少なくとも３つの高さ調整ねじが必要である。
【０００７】
独国特許出願公開第１０３４７５３６Ａ１号は、旋回塔クレーンの固定を示している。この場合、押圧変形可能なスペーサが用いられる。
【０００８】
独国特許翻訳版第６９８２７２９０Ｔ２号は、支持脚上の構造物の表面の傾斜を調整する装置を記述している。
【０００９】
国際公開第２００８／００３７４９Ａ１号は、下部塔セグメントをレベル位置決めするための、高さ調整ねじとして形成される高さ調整ユニットを示している。この高さ調整ねじは、その下面に、基礎のコンクリートに比べて柔らかい圧力分布要素を有している。その代替方式として、高さ調整ユニットは、互いに変位し合う２つのくさびによっても具現化される。
【先行技術文献】
【特許文献】
【００１０】
【特許文献１】国際公開第２００５／０９５７１７号パンフレット
【特許文献２】国際公開第２００５／０９５７９２号パンフレット
【特許文献３】独国特許出願公開第１０３４７５３６号
【特許文献４】独国特許発明第６９８２７２９０号
【特許文献５】国際公開第２００８／００３７４９号パンフレット
【発明の概要】
【発明が解決しようとする課題】
【００１１】
従って、本発明の目的は、塔の確実かつ低コストの建設を可能にする塔の建設方法を提供することにある。
【課題を解決するための手段】
【００１２】
この目的は、請求項１による塔の建設方法と、請求項４による塔と、請求項８による風力発電装置とによって実現される。
【００１３】
従って、まず、塔、特に風力発電装置の塔の建設方法が提示される。このために、基礎が設けられ、複数の高さ調整ユニットが基礎の上に設置され、荷重分配リングがその複数の高さ調整ユニットの上に設置される。この荷重分配リングは、高さ調整ユニットを調整することによってレベル位置決めされかつ水平化され、そして、基礎と荷重分配リングとの間の間隙がグラウト材で充填される。グラウト材が所定強度に達した後、あるいはグラウト材が硬化した後、塔セグメントが荷重分配リングの上に設置される。この場合、高さ調整ユニットは次のようにその寸法が定められる。すなわち、高さ調整ユニットは、（それらが共同で）荷重分配リングの重量もしくは負荷を確実に受け止めることができるが、複数の高さ調整ユニットのいずれか１つに、高さ調整ユニットによって限界値を超過する面圧力が基礎上に作用するような大きな力が作用する場合には降伏する（すなわち、高さ調整ユニットが所定負荷（荷重分配リングの重量＋荷重分配リング上の２次重量）の下で機能しなくなる）ような寸法に定められるのである。この高さ調整ユニットは実質的にプラスチックから製造される。従って、この高さ調整ユニットは低コストで製造可能である。
【００１４】
基礎とレベル位置決めされた荷重分配リングとの間の間隙がグラウト材で充填され、グラウト材が所定強度に達すると、負荷（荷重分配リング＋塔セグメント）の大部分は、グラウト材を介して基礎に導かれる。荷重分配リングが間隙内のグラウト材によって十分に支持されない場合は、負荷（荷重分配リング＋塔セグメント）は、高さ調整ユニットを介して基礎上に導かれることになる。このような場合には、高さ調整ユニットが負荷の一部または全負荷を基礎に伝達しなければならないということが起こり得る。これは、高さ調整ユニットの下部領域においては、基礎の損傷または破壊に至る可能性がある面圧力が生じる結果をもたらす場合がある。
【００１５】
この場合、本発明は次のような理解に基づいている。すなわち、従来型のステンレス鋼製の高さ調整ねじは、その高い剛性のために、グラウトモルタルに比べて高過ぎる面圧力を高さ調整ユニットによって基礎上に生じさせる可能性があり、これは、基礎の損傷をもたらす場合があるという理解である。このような負荷またはそれに伴う面圧は、塔の第１セグメントによってすでにそれが実現され、かつそれを超える可能性があるが、遅くとも完全な塔によって実現される。すなわち、（高い剛性の結果としての）高さ調整ユニットへの負荷の流れの集中によって、高過ぎる面圧力が惹起される。この場合、既知の高さ調整ユニットの個数を増やすことによって一般的な対策手段とすることは確かに可能であるが、高さ調整ユニットは、間隙が硬化してしまうまで荷重分配リングの下に残しておかなければならず、従って失われるので、コストが上昇する。しかし、高さ調整ユニットが、実質的に荷重分配リングの重量を担持するべきものであって、それに対応してより細く寸法決定される場合は、高さ調整ユニットは、その剛性が相対的に低くなるために塔の負荷の下では機能しなくなる。その結果、荷重分配リングは、塔の負荷の下では、硬化したグラウト材の上に載ることになり、間隙の全グラウト材が、所定の面圧力で基礎への負荷の受け渡しを引き受け、その結果基礎の損傷が回避される。
【００１６】
それぞれの高さ調整ユニットに作用する負荷もしくは重量が制限値を超過すると、プラスチック製の高さ調整ユニットは降伏することが可能である。この降伏は破壊を伴う降伏とすることができる。本発明の別の態様によれば、高さ調整ねじとしての高さ調整ユニットは、特にメートルネジによって形成される。メートルネジは、細目ネジよりも、簡単に、従って低コストで製造可能であり、それにも拘らず、十分正確な水平化を可能にする。高さ調整ユニットをねじとして具現化することによって、その高さ調整を簡単かつ確実に行うことができる。
【００１７】
本発明は、同様に、特に風力発電装置の塔に関する。この塔は、基礎と、その基礎上の複数の高さ調整ユニットと、その複数の高さ調整ユニット上の荷重分配リングと、基礎および荷重分配リングの間の間隙内のグラウト材とを有する。高さ調整ユニットは、実質的に、荷重分配リングの重量を受け止めるようにその寸法が決定されるが、複数の高さ調整ユニットのいずれか１つに、高さ調整ユニットによって限界値を超過する面圧力が基礎上に作用するような大きな力が作用する場合には、高さ調整ユニットは降伏する。
【００１８】
本発明は、同様に、基礎と、その基礎上の複数の高さ調整ユニットと、その複数の高さ調整ユニット上の荷重分配リングとを有する、特に風力発電装置の塔に関する。この荷重分配リングは下部塔セグメントを受け止める機能を有する。高さ調整ユニットはプラスチック製である。
【００１９】
本発明は、同様に、特に風力発電装置の塔の荷重分配リングを担持するための高さ調整ユニットに関する。この場合、この高さ調整ユニットはプラスチック製である。
【００２０】
本発明は、同様に、特に風力発電装置の塔の基礎の上に荷重分配リングを担持するために、プラスチック製の高さ調整ユニットを使用することに関する。この場合、この高さ調整ユニットはプラスチックから形成される。
【００２１】
本発明は、現行技術においては、水平化リングもしくは荷重分配リングを基礎上にレベル位置決めするために、鋼製の高さ調整ねじが使用されるという理解に関連している。引き続いて、生じる間隙が、例えばＰａｇｅｌセメントのようなグラウト材で充填される。しかし、この場合、荷重分配リング上に作用する塔の負荷が、間隙における不正確さのために高さ調整ねじによって導かれるという結果が生じることがある。そのため、高さ調整ねじの下の基礎のコンクリートが塔の全負荷を受け止めなければならなくなる可能性がある。その結果、高さ調整ねじの下の領域においては、許容し得ない高い基礎の面圧力が生じる場合がある。これは、その面圧力が許容し得ない高い値に達した時には、基礎に損傷が生じ得るので特に不利である。現行技術による高さ調整ねじのために、基礎上に負荷が均等に分布するのではなく、負荷の流れが若干数の位置に集中する結果が生じる。
【００２２】
従って、本発明によれば、荷重分配リングの重量は確かにこれを確実に担持し得るが、全塔の重量または個々の塔セグメントの重量を担持することはできないような高さ調整ユニットが計画される。このため、高さ調整ユニットは、塔の建造時には必然的にその機能を失っている。これによって、塔の負荷は、間隙のグラウト材の上に、従って基礎の上に均等に分布する。すなわち、本発明によれば、高さ調整ユニットは、荷重分配リングの重量を確かに担持し得るが、所定の限界値を超える面圧力においてはその機能を喪失するように形成される。すなわち、例えば負荷または面圧力に対する限界値以後の高さ調整ユニットの機能喪失は、意図的に認められ、あるいは望ましいものとさえ見做されるのである。
【００２３】
高さ調整ユニットは、例えばプラスチック製高さ調整ねじの形態で用いることができるので、基礎を安価なものとして想定できる。高さ調整ねじは再使用不可能であり、プラスチック製高さ調整ねじは、それ以外の通常の鋼製高さ調整ねじよりも実質的に有利に製造可能だからである。
【００２４】
本発明のさらに別の実施態様が従属請求項の対象である。
【００２５】
以下、本発明の実施形態並びに利点を、図面に関連付けて詳しく説明する。
【図面の簡単な説明】
【００２６】
【図１】第１実施形態による塔の基礎および下部セグメントの一部分の模式的な概略図である。
【図２】第２実施形態による高さ調整ユニットの模式的な断面図である。
【図３Ａ】第３実施形態による高さ調整ユニットの１つの状態の模式的な断面図である。
【図３Ｂ】第３実施形態による高さ調整ユニットの別の状態の模式的な断面図である。
【図４Ａ】第４実施形態による高さ調整ユニットの１つの状態の模式的な断面図である。
【図４Ｂ】第４実施形態による高さ調整ユニットの別の状態の模式的な断面図である。
【発明を実施するための形態】
【００２７】
図１は、塔、特に風力発電装置の塔の、第１実施形態による基礎および下部セグメントの一部分の模式的な概略図を示す。基礎１００の上に、複数の高さ調整ユニット５００が設置され、さらにその高さ調整ユニット５００の上に、水平化リングもしくは荷重分配リング２００が設置される。この調整ユニット５００によって、荷重分配リング２００を正確に水平化またはレベル位置決めすることができる。基礎１００の表面１１０と荷重分配リング２００の下面１１０との間の間隙に、グラウト材（いわゆるグラウトモルタル）が注入される。この場合、荷重分配リング２００は、荷重分配リング上に作用する塔の負荷を基礎１００に接するグラウト材の全面に伝達し得るように、完全に、かつ空気の閉じ込めまたは中空空間を生じることなく裏打ちされなければならない。換言すれば、グラウト材３００と、基礎１００の表面１１０並びに水平化リング２００の下面２１０との間に中間空間が存在してはならないのである。
【００２８】
荷重分配リング２００の上には、下部塔セグメント４００が設置されて固定される。場合によっては、荷重分配リング２００と下部塔セグメント４００との間に別の固定要素を設けることができる。
【００２９】
グラウト材３００が硬化した後、荷重分配リング２００の上に下部塔セグメント４００を固定すると、あるいは、下部塔セグメント４００の上に別の塔セグメントを固定すると、間隙のグラウト材および高さ調整ユニット５００の上に作用する重量もしくは負荷が上昇する。この場合、間隙のグラウト材３００が作用して圧縮力を受ける。しかし、間隙のグラウト材が、その固さが低いために高さ調整ユニット５００よりも強く圧縮されると、荷重分配リング２００から基礎１００への力もしくは負荷の流れは、間隙のグラウト材３００を介してではなく、（実質的に）少なくともいくつかの高さ調整ユニット５００を介して伝達される結果が生じる（例えば、現行技術によるステンレス鋼製の高さ調整ねじの場合がそうである）。しかし、負荷の分布が高さ調整ユニット５００の上に集中すると、高さ調整ユニット５００の下の基礎の上には、許容可能な限界値を超える面圧力が作用する可能性があり、その結果、高さ調整ユニット５００の下の基礎が損傷する可能性がある。
【００３０】
高さ調整ユニット５００は、高さ調整ねじとして形成するのが望ましく、例えばプラスチック（ＨＤＰＥ）から製造できる。この場合、高さ調整ユニットは、確かに荷重分配リング２００の重量を確実に受け止め得るが、負荷または面圧力の限界値に達すると、すなわち、例えば塔セグメントが荷重分配リングの上に設置されると、機能喪失するかまたは降伏するか、あるいは損傷するように設計される。これによって、負荷の流れがもはや高さ調整ねじを介しては生じ得ないことになる。しかし、基礎の表面１１０と荷重分配リング２００の下面２１０との間にグラウト材または間隙のグラウト材３００が存在しているので、塔の負荷を、この間隙のグラウト材３００によって均等に受け止め、基礎を損傷しない所定の面圧力でもって基礎１００に導くことができる。
【００３１】
従って、高さ調整ユニット５００の上記のような寸法決定乃至設計は、高さ調整ユニット５００の崩壊または機能喪失が、意図的に是認されるか、あるいはその設計によって計画的に生じるように選択される。これによって、現行技術の場合に生じるような、高さ調整ユニット５００の下の基礎の領域における許容し得ない高い面圧力が回避される。この場合、当然のことながら、高さ調整ユニット５００の標準的な寸法決定、すなわち、例えば、本発明による高さ調整ユニット５００が、例えば３５０ｋｇまでの重量を確実に担持し得るような寸法決定も可能である。この場合は、荷重分配リング２００の重量によって、この荷重分配リングに対して必要な高さ調整ユニット５００の個数が定まる。但しこの場合、荷重分配リングの安定な設置を確保するために、当然ながら常に最低３個の高さ調整ユニット５００が用いられる。３個の高さ調整ユニット５００によって、それが３５０ｋｇの担持力を有する場合は、１ｔの重量の荷重分配リングを水平化できる。高さ調整ユニット用の材料としては、例えばＨＤポリエチレン、あるいは、好ましくは熱可塑性の、または射出成形可能な他のプラスチックを用いることができる。
【００３２】
さらに、高さ調整ユニット５００をプラスチック製の高さ調整ねじとして形成することは、高さ調整ユニット５００の材料コストの点から見ても有利である。高さ調整ユニット５００は、間隙のグラウト材３００を充填した後は取り出すことができないので、再利用は不可能である。
【００３３】
本発明による高さ調整ユニット５００によって、間隙のグラウト材が部分的に機能喪失した場合の塔の基礎１００への荷重分配が改善され、さらに、基礎１００または高さ調整ユニット５００のコストの低減を実現できる。この場合、高さ調整ユニット５００は、メートルネジを備えた高さ調整ねじとして実施できる。
【００３４】
図２は、第２の実施形態による高さ調整ユニットの模式的な断面図を示す。この第２の実施形態による高さ調整ユニット５００は、例えば、第１実施形態における高さ調整ユニットとして用いることができる。この高さ調整ユニット５００は、好ましくは高さ調整ねじとして形成されるが、その場合、この高さ調整ユニット５００は、外側要素５１０および内側要素５２０を有する。外側要素５１０は、支持脚５１２、あるいは代替的に支持脚５１２の代わりに台座リング（図示なし）、あるいはさらに代替的に台座プレート（同じく図示なし）と、内ネジ５１１とを有する。内側要素５２０は、外ネジ５２１および上部要素５２３を有する。図では、この上部要素５２３は、ネジを廻して移動させることができる高い位置においては破線で表現されており、符号５２３’で指示される。この場合、内側要素５２０の外ネジ５２１は、当然、外側要素５１０の内ネジ５１１に対して相補的である。
【００３５】
支持脚５１２または台座リング（図示なし）または台座プレート（同じく図示なし）は、基礎１００の表面１１０上に設置され、負荷の流れを基礎に導く。その間、上部要素５２３、５２３’は荷重分配リング２００を受け止める役割を果たす。内側要素５２０を回転することによって、高さ調整ユニットの高さを調整できる。この場合、この高さは、例えば８０および１２０ｍｍの間において調整できる。高さ調整ユニットの構造的具現化に応じて、他の範囲、例えば５０〜９０ｍｍの範囲も可能であることは自明である。
【００３６】
内側要素５２０の上部要素５２３、５２３’は多角形に形成できる。その結果、高さ調整ねじを、現場においても、すなわち荷重分配リング２００（この図には図示なし）の下部における据付け位置においても、例えば開口スパナもしくはフォーク型スパナのような適切な工具によって調整でき、荷重分配リング２００の水平化が簡単に可能になる。
【００３７】
第１または第２実施形態による高さ調整ユニットの、限界値を超えた重量もしくは負荷（あるいは限界値を超えた面圧力）の下での機能喪失または降伏は、高さ調整ユニット、特に高さ調整ねじの損傷、障害および／または破壊に関係する。この場合、例えば、高さ調整ねじのネジが損傷する可能性があるが、これは、高さ調整ねじの機能喪失または降伏をもたらすことができる。
【００３８】
本発明による高さ調整ユニットは、例えば、０．５〜０．７ｔの最大負荷を担持できる。荷重分配は、（塔の態様に応じて）例えば９００ｋｇ〜４０００ｋｇの重量を有する可能性がある。
【００３９】
図３Ａおよび３Ｂは、それぞれ、第３実施形態による高さ調整ユニットの模式的な断面図を示す。図３Ａにおいて、高さ調整ユニット６００は第１高さ６００ａで示されている。この高さは高さ調整ユニット６００の最低高さである。第３実施形態による高さ調整ユニット６００は、断面が台形の第１および第２部分（台形部分）６３０、６４０であって、それぞれ小さい方の側面が対向配置される台形部分６３０、６４０を有する。高さ調整ユニット６００は、さらに、第１および第２くさび部分６１０、６２０を有する。この第１および第２くさび部分６１０、６２０は、それぞれ、第１および第２台形部分６３０、６４０に係合している。第３実施形態による高さ調整ユニット６００は、さらに、調整器６５０を有しており、その調整器６５０によって、第１および第２のくさび部分６１０、６２０の間の間隔を調整できる。
【００４０】
図３Ｂは、両くさび部分６１０、６２０が調整器６５０によって互いに近付けられた状態、すなわち第１および第２くさび部分６１０、６２０の間の間隔が縮小された状態を示す。第１および第２くさび部分６１０、６２０の間の間隔が縮小されることによって、第１および第２の台形部分６３０、６４０が上方または下方に押し込まれ、その結果、高さ調整ユニット６００の高さ６００ｂは、図３Ａに示す最低高さ６００ａよりも高くなる。従って、第３実施形態によれば、調整器６５０を作動させることによって第１および第２くさび部分６１０、６２０の間の間隔を変えることができる高さ調整ユニット、従って、第１および第２の台形部分６３０、６４０を上方または下方に押し込むことができ、その結果、高さ調整ユニット６００の高さを高くまたは低くすることができる高さ調整ユニットが提供される。
【００４１】
第１および第２くさび部分６１０、６２０と、第１および第２台形部分６３０、６４０とを有する第３実施形態による高さ調整ユニット６００は、プラスチックから製造される。
【００４２】
従って、第３実施形態による高さ調整ユニットは、第１または第２実施形態による高さ調整ユニットと同様に、限界値を超える重量もしくは負荷の下で降伏することが可能である。この降伏は破壊を伴う降伏とすることができる。
【００４３】
図４Ａおよび４Ｂは、それぞれ、第４実施形態による高さ調整ユニットの模式的な断面図を示す。第４実施形態によるこの高さ調整ユニット７００は、第１の台形形状の部分もしくは台形部分７３０と、第１および第２くさび部分７１０、７２０とを有する。第１および第２くさび部分７１０、７２０は、調整器７５０を介して、第１および第２くさび部分７１０、７２０の間の間隔を変化させることができるように相互に連結できる。図４Ａでは、高さ調整ユニットの最低高さに対応する高さ７００ａが示されている。
【００４４】
図４Ｂは、両くさび部分７１０、７２０の間の間隔が、図４Ａに示す間隔に比べて縮小された状態の、第４実施形態による高さ調整ユニットを示す。従って、台形形状の部分７３０が第１および第２くさび部分７１０、７２０によって上方に押し上げられ、その結果、高さ調整ユニット７００の高さ７００ｂは高くなっている。
【００４５】
第４実施形態による高さ調整ユニットは、第１、第２または第３実施形態による高さ調整ユニットと同様に、負荷もしくは重量の限界値を超過すると降伏可能である。この降伏は、同様に、破壊を伴う降伏とすることができる。
【００４６】
第３および第４実施形態による調整器はねじ要素として形成できる。
【符号の説明】
【００４７】
１００・・・基礎
５００・・・高さ調整ユニット
２００・・・荷重分配リング
３００・・・グラウト材
４００・・・塔セグメント
６００、７００・・・高さ調整ユニット
６１０、７１０・・・第１のくさび部分
６２０、７２０・・・第２のくさび部分
６５０、７５０・・・調整器
６３０、６４０、７３０、７４０・・・台形部分
【図１】
0005695031.tif 000002
【図２】
0005695031.tif 000003
【図３Ａ】
0005695031.tif 000004
【図３Ｂ】
0005695031.tif 000005
【図４Ａ】
0005695031.tif 000006
【図４Ｂ】
0005695031.tif 000007